(57)【要約】【課題】  ひとつの箱に複数収納されて運搬される際に箱内で乱雑になることがなく、シール部側を下にして自立することが可能であり、さらに、従来のチューブ容器よりも内容量を増やすことが可能なチューブ容器の提供。【解決手段】上端に口頸部を備え、下端はシール部により封止した略円筒状のチューブ容器であって、前記シール部が底面視で容器軸芯から周壁へ向けて少なくとも３方向に延設されているチューブ容器。【選択図】  図６
2013220826.tif 000002
【特許請求の範囲】
【請求項１】
上端に口頸部を備え、下端はシール部により封止した略円筒状のチューブ容器であって、前記シール部が底面視で容器軸芯から周壁へ向けて少なくとも３方向に延設されているチューブ容器。
【請求項２】
前記シール部は軸芯から周壁へ向けて３方向に延設し、底面視で軸芯におけるシール部の屈曲角度が１２０度となるように形成されていることを特徴とする請求項１に記載のチューブ容器。
【請求項３】
前記シール部の上方の胴部には、凹曲面が形成されることを特徴とする請求項１または２のいずれかに記載のチューブ容器。
【請求項４】
胴部全体の高さに対して、前記凹曲面の高さが１／３以下となるように形成されていることを特徴とする請求項１ないし請求項３のいずれか１項に記載のチューブ容器。
【発明の詳細な説明】
【技術分野】
【０００１】
本発明は、化粧料等を内容物とするチューブ容器に関する。
【背景技術】
【０００２】
従来、化粧料等を内容物とするチューブ容器において、筒状の胴部の下端にシール部を設け、内容物を封止することが行われている。
【０００３】
かかるシール部は、容器の周壁を径方向に挟み込んで溶着することで形成されているが、この製法により、一般のチューブ容器は口頸部に近いほど胴部が円筒形を形成し、シール部に近くなると徐々に厚みが薄くなって横に広がる扁平形状となっていた（特許文献１）。かかる形状的な特徴より以下のような問題を有していた。
【０００４】
すなわち、シール部がチューブ容器の径よりも横に広がる平板状に形成されていることにより、複数のチューブ容器をひとつの箱に収納して運搬する際、隣接する容器同士のシール部がぶつからないように収納しなければならず、また、シール部に近くなるほど胴部が扁平形状となることから、隣接する容器との空隙が生じてばらついてしまい、安定して収納することが困難であった。
【０００５】
また、シール部側を底にして容器を自立させることができないため、口頸部にディスペンサー等を設けることができなかった。
【０００６】
さらに、容器胴部の形状がシール部に近くなるにつれ、円筒から扁平形状になるため、収納される内容量が制限されるという問題も有していた。
【０００７】
【特許文献１】特開２０１２−０１２０６７
【発明の開示】
【発明が解決しようとする課題】
【０００８】
そこで本発明は、従来のチューブ容器のかかる欠点を克服し、ひとつの箱に複数収納されて運搬される際に箱内で乱雑になることがなく、シール部側を下にして自立することが可能であり、さらに、従来のチューブ容器よりも内容量を増やすことが可能なチューブ容器の提供をその課題とするものである。
【課題を解決するための手段】
【０００９】
本発明は、上記課題を解決するものであり、上端に口頸部を備え、下端はシール部により封止した略円筒状のチューブ容器であって、前記シール部が底面視で容器軸芯から周壁へ向けて少なくとも３方向に延設されているチューブ容器である。
【発明の効果】
【００１０】
本発明のチューブ容器によれば、シール部が底面視で容器軸芯から周壁へ向けて少なくとも３方向に延設されていることにより、胴部における略円筒形状の占める割合が高くなり、その結果、複数のチューブ容器をひとつの箱に収納して運搬する際、隣接する容器同士がかかる胴部で接することにより、容器が安定して乱雑になるおそれがない。
【００１１】
また、本発明のチューブ容器は、シール部が底面視で容器軸芯から周壁へ向けて少なくとも３方向に延設されているため、シール部側を底にして容器を自立させることができるため、口頸部にディスペンサー等を設けることが可能である。
【００１２】
さらに、本発明のチューブ容器は、胴部における略円筒形状の占める割合が高いことにより、内容量を増やすことが可能となった。
【図面の簡単な説明】
【００１３】
【図１】本発明のチューブ容器の正面図。
【図２】本発明のチューブ容器の背面図。
【図３】本発明のチューブ容器の底面図。
【図４】本発明のチューブ容器の蓋部を外した状態における正面図。
【図５】本発明のシール部の形成方法を示した図。
【図６】本発明のチューブ容器の斜視図。
【図７】本発明のチューブ容器の異なる実施態様の斜視図。
【発明を実施するための形態】
【００１４】
以下、本発明のチューブ容器の実施態様を、図面に基づいて具体的に説明する。なお、本発明はこれら実施態様に何ら制約されるものではない。
【００１５】
図１は本発明のチューブ容器の正面図、図２は同背面図、図３は同底面図、図４は本発明のチューブ容器の蓋部を外した状態における正面図、図５は本発明のチューブ容器の斜視図、図６は本発明のチューブ容器の異なる実施態様の斜視図である。図中、１は胴部、２は蓋部、１１はシール部、１２は凹曲面、１３は口頸部、１４はネジ部をそれぞれ示す。
【００１６】
図に示すように、本発明のチューブ容器は、略円筒状に形成された胴部１の上端に口頸部１３が設けられ、口頸部１３の下部には蓋部２の内周壁に形成されたネジ部（図示せず）と螺合するネジ部１４が形成されている。なお、本実施態様では、蓋部２は胴部１から脱着可能に形成されているが、図６に示す異なる態様のように、一部が開閉自在に形成された蓋部２を胴部１に固定して取り付けても良い。
【００１７】
胴部１の下端には、シール部１１が形成されている。かかるシール部１１は、胴部１の周壁の下端部を二重に溶着することにより形成される。より具体的には、図７の点線に示すように、シール部１１が形成される前の胴部１の周壁１５は円筒形状をなすが、その下端部を三方向から矢印の軸芯方向に向けて折り込んでいく。このとき、押圧点１６が軸芯付近まで近づくと、折り返し点１７で山折りされ、且つ、押圧点１６で谷折りされた周壁１５が二重に形成される。このようにして二重となった周壁１５部分を溶着することにより、シール部１１が形成されて胴部１の下端部は封止される。なお、周壁１５の溶着手段は、公知の溶着手段を用いればよく、熱溶着や超音波溶着を適宜利用できる。
【００１８】
このように形成されたシール部１１は、軸芯から周壁へ向けて３方向に延設される。本実施態様では、かかるシール部１１は３方向に延設されるが、下部の方の間口が広く形成されているブローチューブ等を使用する場合は、周壁下端部の円周長さがより長くなるので、シール部を４方向以上に延設するように形成しても良い。なお、シール部１１は３方向以上であればその延設する方向に限定はないが、本実施態様のように、軸芯から周壁へ向けて３方向に延設し、底面視で軸芯におけるシール部１１の屈曲角度が１２０度となるように形成することが好ましい。そして、シール部１１の上方の胴部１には、シール部を形成する際に凹曲面１２が形成されるが、それ以外の胴部１においては、略円筒形状が維持されている。なお、胴部１全体に対する凹曲面１２の占める割合は特に限定はされないが、収納時の安定性および内容量の増加の観点より、胴部１全体の高さに対して、凹曲面１２の高さが１／３以下となるよう形成されることが好ましい。
【００１９】
以上の通り、本発明のチューブ容器は、シール部１１付近の凹曲面１２が形成された部分を除いて胴部１が略円筒形状を保っているため、複数の容器をひとつの箱に収納した場合も、長い胴部１の円筒部分が隣接する容器同士を安定させる役割を果たす。また、従来のシール部が一方向に延設するものとは異なり、胴部１の円筒形状部分をより長く形成することが可能となったため、その分、内容量を増やすことが可能となった。
【００２０】
さらに、シール部１１が三方向に延設するため、シール部１１を下にして容器を自立させることが可能となり、これにより、通常の蓋部のほかに、内容物を吐出させるためのディスペンサー部材を口頸部に取り付けることが可能となった。
【００２１】
本発明のチューブ容器の使用方法は、通常のチューブ容器と同様であり、内容物を吐出させたいときには、胴部１の中程を指で押圧すれば良い。また、本発明のチューブ容器でディスペンサー部材を口頸部に取り付けたものは、シール部１１を下にして容器を自立させ、ディスペンサー部により内容物を吐出させることができる。
【００２２】
本発明のチューブ容器は、胴部１およびシール部１１が原則として同一の素材から形成されており、具体的には、ポリエチレンが最も好ましく、ポリプロピレン、ポリエチレンテレフタレート、エチレン−ビニルアルコール共重合体樹脂、ナイロン、ポリビニルアルコール、紙の単体素材、乃至は２種以上の組合せ積層チューブが好ましいが、アルミ、鈴、鉛、の単体素材、乃至は２種以上の組合せ積層チューブでもよい。
【産業上の利用可能性】
【００２３】
本発明のチューブ容器は、化粧料の容器として最適であるが、必ずしもこれに限定されるものではなく、様々な内容物を収納するためのチューブ容器としての利用が可能である。
【符号の説明】
【００２４】
１  …  …  胴部
２  …  …  蓋部
１１  …  …  シール部
１２  …  …  凹曲面
１３  …  …  口頸部
１４  …  …  ネジ部
１５  …  …  周壁
１６  …  …  押圧点
１７  …  …  折り返し点  
【図１】
2013220826.tif 000003
【図２】
2013220826.tif 000004
【図３】
2013220826.tif 000005
【図４】
2013220826.tif 000006
【図５】
2013220826.tif 000007
【図６】
2013220826.tif 000008
【図７】
2013220826.tif 000009